(57)【要約】      （修正有）【課題】傾斜した懸架部材を有するハンガーラックを提供する。【解決手段】水平方向に互いに離間して鉛直方向にそれぞれ延在し各々が伸縮調整可能である２本の柱部材２０と、複数のハンガーを吊下するために前記２本の柱部材の上端同士の間に懸架された懸架部材１０と、前記２本の柱部材の下端を支持する基底部材とを有するハンガーラック１において、前記懸架部材の各端と前記柱部材の上端とが互いに回動可能に連結された接続部６０を有する。【選択図】図１
0003222624.tif 000002
【実用新案登録請求の範囲】
【請求項１】
水平方向に互いに離間して鉛直方向にそれぞれ延在し各々が伸縮調整可能である２本の柱部材と、
複数のハンガーを吊下するために前記２本の柱部材の上端同士の間に懸架された懸架部材と、
前記２本の柱部材の下端を支持する基底部材とを有するハンガーラックにおいて、
水平方向に対する前記懸架部材の傾斜角度を変更可能であるように、前記懸架部材の各端と前記柱部材の上端とを互いに回動可能に連結する接続部を有することを特徴とするハンガーラック。
【請求項２】
前記接続部が、所定の前記傾斜角度において前記懸架部材の各端と前記柱部材の上端とを互いに固定することを特徴とする請求項１に記載のハンガーラック。
【請求項３】
前記接続部が、前記懸架部材の各端および前記柱部材の上端にそれぞれ形成された軸孔と、前記軸孔に挿通される螺子と、前記螺子に締結されるナットとを有することを特徴とする請求項２に記載のハンガーラック。
【請求項４】
前記基底部材が、前記２本の柱部材の下端同士の間を連結する連結棒部材を有し、前記連結棒部材が、前記懸架部材の傾斜角度に応じて伸縮可能であることを特徴とする請求項１〜３のいずれかに記載のハンガーラック。
【請求項５】
前記懸架部材が、直線状に延在する部材であってその長手方向において所定の間隔で配置された略上方に向いた複数の係止突起を有することを特徴とする請求項１〜４のいずれかに記載のハンガーラック。
【請求項６】
前記柱部材が、互いに嵌合する上パイプおよび下パイプと、所定の嵌合位置にて前記上パイプと前記下パイプとを固定する固定具とを有することを特徴とする請求項１〜５のいずれかに記載のハンガーラック。
【請求項７】
前記上パイプが、長手方向に所定の間隔で配置されかつパイプ壁を貫通する複数の高さ調整孔を有し、かつ、
前記固定具が、前記下パイプの傾斜した上端面に載置される楕円環部と、前記楕円環部から内向きに突出し前記上パイプの高さ調整孔と係合可能な固定突起とを有することを特徴とする請求項６に記載のハンガーラック。
【考案の詳細な説明】
【技術分野】
【０００１】
本考案は、多数の衣類用ハンガーを吊下するためのハンガーラックに関する。
【背景技術】
【０００２】
２本の柱部材と、２本の柱部材の上端間に懸架された長尺の懸架部材と、床上に載置されかつ２本の柱部材の下端を支持する基底部材とを有し、懸架部材に多数のハンガーを吊下することができるハンガーラックが知られている。
【０００３】
一般的なハンガーラックは、複数のパイプ部材を組み合わせ、接続具による接続および／または溶接等によって連結したフレーム構造を有する。２本の柱部材の各々が、互いに嵌合する上パイプと下パイプとからなり高さ調整のために伸縮可能である構成、懸架部材および基底部材の一部が互いに嵌合する内パイプと外パイプとからなり水平方向の長さ調整のために伸縮可能である構成、および、基底部材の下端にキャスターを有する構成も周知である（特許文献１、２等）。
【０００４】
懸架部材が水平方向ではなく、傾斜して取り付けられたハンガーラックも知られている。傾斜した懸架部材の場合、個々のハンガーを係止するために適宜の間隔で複数の突起や溝などが形成されている。
【先行技術文献】
【特許文献】
【０００５】
【特許文献１】実用新案登録第３１８８２９９号公報
【特許文献２】実用新案登録第３２１５６４１号公報
【考案の概要】
【考案が解決しようとする課題】
【０００６】
傾斜した懸架部材を有するハンガーラックにおいては、通常、傾斜角度が固定されており、変更することができない。
【０００７】
本考案の目的は、傾斜した懸架部材を有するハンガーラックにおいて、懸架部材の傾斜角度を調整可能とすることである。
【課題を解決するための手段】
【０００８】
上記の目的を達成するために、本考案は以下の構成を提供する。
・  本考案の態様は、水平方向に互いに離間して鉛直方向にそれぞれ延在し各々が伸縮調整可能である２本の柱部材と、
複数のハンガーを吊下するために前記２本の柱部材の上端同士の間に懸架された懸架部材と、
前記２本の柱部材の下端を支持する基底部材とを有するハンガーラックにおいて、
水平方向に対する前記懸架部材の傾斜角度を変更可能であるように、前記懸架部材の各端と前記柱部材の上端とを回動可能に連結する接続部を有することを特徴とする。
・  上記態様において、前記接続部が、所定の前記傾斜角度において前記懸架部材の各端と前記柱部材の上端とを互いに固定することが、好適である。
・  上記態様において、前記接続部が、前記懸架部材の各端および前記柱部材の上端にそれぞれ形成された軸孔と、前記軸孔に挿通される螺子と、前記螺子に締結されるナットとを有することが、好適である。
・  上記態様において、前記基底部材が、前記２本の柱部材の下端同士の間を連結する連結棒部材を有し、前記連結棒部材が、前記懸架部材の傾斜角度に応じて伸縮可能であることが、好適である。
・  上記態様において、前記懸架部材が、直線状に延在する部材であってその長手方向において所定の間隔で配置された略上方に向いた複数の係止突起を有することが、好適である。
・  上記態様において、前記柱部材が、互いに嵌合する上パイプおよび下パイプと、所定の嵌合位置にて前記上パイプと前記下パイプとを固定する固定具とを有することが、好適である。
・  上記態様において、前記上パイプが、長手方向に所定の間隔で配置されかつパイプ壁を貫通する複数の高さ調整孔を有し、かつ、
前記固定具が、前記下パイプの傾斜した上端面に載置される楕円環部と、前記楕円環部から内向きに突出し前記上パイプの高さ調整孔と係合可能な固定突起とを有することが、好適である。
【考案の効果】
【０００９】
本考案によれば、ハンガーを吊下する懸架部材の傾斜角度を調整可能なハンガーラックが実現される。
【図面の簡単な説明】
【００１０】
【図１】図１は、本考案のハンガーラックの実施形態の一例を概略的に示す斜視図である。
【図２】図２は、図１のハンガーラックにおける懸架部材の傾斜角度の変更を説明するための正面図である。
【図３】図３は、図１のハンガーラックの上部の概略展開図である。
【図４】図４は、図１のハンガーラックの下部の概略展開図である。
【図５】図５（ａ）（ｂ）（ｃ）は、固定具による柱部材の高さの固定状況を示す図である。
【考案を実施するための形態】
【００１１】
以下、例示である図面を参照して本考案の実施形態を説明する。
図１は、本考案のハンガーラックの実施形態の一例を概略的に示す斜視図である。図１に示すように、ハンガーラック１は、水平方向に互いに離間して配置された２本の柱部材２０、３０を有する。柱部材２０、３０は、鉛直方向にそれぞれ延在し各々が伸縮調整可能である。
【００１２】
さらにハンガーラック１は、複数のハンガー（図示せず）を吊下するために２本の柱部材２０、３０の上端同士の間に懸架された懸架部材１０を有する。さらにまた、ハンガーラック１は、２本の柱部材２０、３０の下端を支持する基底部材４０を有する。
【００１３】
ハンガーラック１を構成する主要な部材は、好適にはパイプ部材であり、例えばステンレス鋼製等のパイプ部材である。なお、部分的にプラスチック製であってもよい。各パイプ部材は、使用される部位毎の必要に応じて、適宜の接続具を用いて互いに連結固定することができ、または、溶接することもできる。
【００１４】
伸縮調整可能な２本の柱部材２０、３０は、それぞれ独立して高さ調整することができる。そのために柱部材２０は、互いに嵌合する上パイプ２１および下パイプ２２と、所定の嵌合位置にて上パイプ２１と下パイプ２２とを固定する固定具２３（これについては図５で詳細に説明する）とを有する。上パイプ２１は下パイプ２２より小径であり、上パイプ２１の下部が下パイプ２２の上端から所定の長さだけ挿入されている。上パイプ２１は、長手方向に所定の間隔で配置されかつパイプ壁を貫通する複数の高さ調整孔２４を有する。この高さ調整孔２４に固定具２３が係合することにより、柱部材２０が一定の高さに固定される。
【００１５】
柱部材３０についても同様であり、柱部材３０は、互いに嵌合する上パイプ３１および下パイプ３２と、所定の嵌合位置にて上パイプ３１と下パイプ３２とを固定する固定具３３とを有する。上パイプ３１は下パイプ３２より小径であり、上パイプ３１の下部が下パイプ３２の上端から所定の長さだけ挿入されている。図１では見えないが、上パイプ３１も、長手方向に所定の間隔で配置されかつパイプ壁を貫通する複数の高さ調整孔を有する。この高さ調整孔に固定具３３が係合することにより、柱部材３０が一定の高さに固定される。
【００１６】
したがって、２本の柱部材２０、３０の高さを異ならせることができる。柱部材２０と柱部材３０の高さが異なることによって、懸架部材１０を水平方向に対して傾斜させることができる。懸架部材１０は、直線状に延在する部材であり、ハンガー（図示せず）を掛けるための複数の係止突起１１を形成されている。
【００１７】
懸架部材１０の各端と柱部材２０、３０の上端とは、水平方向に対する懸架部材１０の傾斜角度を変更可能であるように連結されている。このために、懸架部材１０の各端と柱部材２０、３０の上端との接続部５０、６０はそれぞれ、懸架部材１０の各端と柱部材２０、３０の上端とを互いに回動可能に連結すると共に、懸架部材１０の所定の傾斜角度において双方を固定することができる。図１では、接続部５０、６０における回動軸をそれぞれ符号Ａ１、Ａ２で示している。
【００１８】
基底部材４０は、各柱部材２０、３０の下端をそれぞれ支持する支持パイプ４１、４２と、２本の柱部材２０、３０の下端同士の間を連結する連結棒部材４３とを有する。支持パイプ４１、４２は、柱部材２０、３０の下端を結ぶ直線に対して垂直に配置され、支持パイプ４１、４２の中央上面に柱部材２０、３０の下端が取り付けられている。図示の例では、支持パイプ４１、４２の各々の両端の下面にそれぞれキャスター４４が取り付けられている。これによりハンガーラック１を、床面上で容易に移動させることができる。
【００１９】
連結棒部材４３は、互いに嵌合する外パイプ４３ａと内パイプ４３ｂとから構成されている。内パイプ４３ｂの一端が外パイプ４３ａの一端から挿入され、所定の長さだけ重なりあっている。内パイプ４３ｂの他端は、柱部材２０の下端に取り付けられ、外パイプ４３ａの他端は、柱部材３０の下端に取り付けられている。この構成により、連結棒部材４３は、長手方向に伸縮可能である。図示しないが、所定の位置において外パイプ４３ａと内パイプ４３ｂが相対的に移動しないように固定したり解放したりできる手段を設けることが、好適である。なお、図示の基底部材４０の構成は一例であり、多様な構成とすることができる。
【００２０】
図２は、図１のハンガーラック１における懸架部材の傾斜角度の変更を説明するための正面図である。図２に示すように、懸架部材１０の水平方向に対する傾斜角度αは、柱部材２０と柱部材３０の高さの差を変更することによって変更することができる。傾斜角度αの変更可能な範囲は、原理的には、点線で示すαが０°（懸架部材１０が水平方向）の位置から、αが約９０°近傍の位置まで可能である。しかしながら、懸架部材１０を傾斜させて使用する場合、通常はαを３０°〜４５°とし、最大でもαを４５°程度とすることが好適である。
【００２１】
懸架部材１０の傾斜角度αが変わると、ハンガーラック１の柱部材２０と柱部材３０との間の間隔が変化する。したがって、柱部材２０、３０の下端同士の間を連結する連結棒部材４３は、懸架部材１０の傾斜角度αに応じて伸縮する。点線で示す懸架部材１０が水平方向となる位置において柱部材２０と柱部材３０の間の間隔が最大となり、連結棒部材４３が最も長くなる（内パイプ４３ｂが外パイプ４３ａから最大に突出する）。
【００２２】
図３は、図１のハンガーラック１の上部の概略展開図である。懸架部材１０は、ここでは一例として、平坦な直線状に延在する板部材である。懸架部材１０は、その長手方向において所定の間隔で配置された略上方に向いた複数の係止突起１１を形成されている。傾斜した懸架部材１０に吊下される各ハンガー（図示せず）は、係止突起１１に掛けられることにより所定の位置に留まることができる。懸架部材１０の形状はこの例に限られない。
【００２３】
図３には、懸架部材１０の各端と柱部材２０、３０の上端との接続部５０、６０の一例が示されている。懸架部材１０の各端にはそれぞれ、貫通孔である軸孔１２、１３が形成されている。柱部材２０、３０の上端は、一例として平板状に加工されており、それぞれ貫通孔である軸孔２５、３５が形成されている。接続部５０においては、螺子５１を軸孔１２および軸孔２５に挿通させ、ナット５２を螺子５１に締結する。同様に接続部６０においては、螺子６１を軸孔１３および軸孔３５に挿通させ、ナット６２を螺子５１に締結する。ここでは一例として、螺子５１、６１はローレット螺子であり、ナット５２、６２はローレットナットである。これにより、所定の傾斜角度に設定された懸架部材１０と柱部材２０、３０とを不動に固定することができ、安定して使用できる。
【００２４】
図４は、図１のハンガーラックの下部の概略展開図である。上述した通り、連結棒部材４３は、外パイプ４３ａと内パイプ４３ｂに分離可能である。
【００２５】
柱部材の下パイプ２２、３２の上端は水平面ではなく、傾斜面として形成されている。また、下パイプ２２の上端の傾斜面と、下パイプ３２の上端の傾斜面とは互いに向き合っている。これらの傾斜面上に、固定具２３、３３がそれぞれ載置される。
【００２６】
図５（ａ）（ｂ）（ｃ）は、固定具２３による柱部材２０の高さの固定状況を示す図である。
【００２７】
図５（ａ）は、固定具２３の概略斜視図であり、（ｂ）は平面図である。固定具２３は、楕円形リングである楕円環部２３ａと、楕円環部２３ａの内周から中心に向かって内向きに突出する固定突起２３ｂとを有する。
【００２８】
図５（ｃ）に示すように、固定具２３の楕円環部２３ａが、柱部材２０の下パイプ２２の上端の傾斜面上に載置され、上パイプ２１は、楕円環部２３ａを貫通して下パイプ２１に挿通されている。そして、上パイプ２１に形成された複数の高さ調整孔２４の１つに固定突起２３ｂが入り込むことにより双方が係合する。これにより上パイプ２１と下パイプ２２の相対的な移動が阻止され、柱部材２０の高さが固定される。なお、柱部材３０については示さないが、同様である。
【００２９】
このようにして、柱部材２０と柱部材３０の各々の高さを独立して設定することができる。上述した通り、これにより図２に示した懸架部材１０の傾斜角度αを変更することができる。また、傾斜角度αを一定としたまま、鉛直方向の高さを変更することもできる。
【００３０】
以上に述べた本考案の実施形態は一例を示したものであり、これら以外にも多様な変形形態が可能であり、それらについても本考案に含まれるものとする。
【符号の説明】
【００３１】
１  ハンガーラック
１０  懸架部材
１１  係止突起
１２、１３  軸孔
２０、３０  柱部材
２１、３１  上パイプ
２２、３２  下パイプ
２３、３３  固定具
２３ａ  楕円環部
２３ｂ  固定突起
２４、３４  高さ調整孔
２５、３５  軸孔
４０  基底部材
４１、４２  支持パイプ
４３  連結棒部材
４３ａ  外パイプ
４３ｂ  内パイプ
４４  キャスター
５０、６０  接続部
５１、６１  ねじ
５２、６２  ナット
Ａ１、Ａ２  回動軸
α  傾斜角度
【図１】
0003222624.tif 000003
【図２】
0003222624.tif 000004
【図３】
0003222624.tif 000005
【図４】
0003222624.tif 000006
【図５】
0003222624.tif 000007
【手続補正書】
【提出日】令和1年6月12日(2019.6.12)
【手続補正１】
【補正対象書類名】実用新案登録請求の範囲
【補正対象項目名】全文
【補正方法】変更
【補正の内容】
【実用新案登録請求の範囲】
【請求項１】
水平方向に互いに離間して鉛直方向にそれぞれ延在し各々が伸縮調整可能である２本の柱部材と、
複数のハンガーを吊下するために前記２本の柱部材の上端同士の間に懸架された懸架部材と、
前記２本の柱部材の下端を支持する基底部材とを有するハンガーラックにおいて、
前記懸架部材の各端と前記柱部材の上端とが互いに回動可能に連結された接続部を有することを特徴とするハンガーラック。
【請求項２】
前記接続部が、水平方向に対する前記懸架部材の所定の傾斜角度において前記懸架部材の各端と前記柱部材の上端とを互いに固定していることを特徴とする請求項１に記載のハンガーラック。
【請求項３】
前記接続部が、前記懸架部材の各端および前記柱部材の上端にそれぞれ形成された軸孔と、前記軸孔に挿通される螺子と、前記螺子に締結されるナットとを有することを特徴とする請求項２に記載のハンガーラック。
【請求項４】
前記基底部材が、前記２本の柱部材の下端同士の間を連結する連結棒部材を有し、前記連結棒部材が、前記懸架部材の傾斜角度に応じて伸縮可能であることを特徴とする請求項１〜３のいずれかに記載のハンガーラック。
【請求項５】
前記懸架部材が、直線状に延在する部材であってその長手方向において所定の間隔で配置された略上方に向いた複数の係止突起を有することを特徴とする請求項１〜４のいずれかに記載のハンガーラック。
【請求項６】
前記柱部材が、互いに嵌合する上パイプおよび下パイプと、所定の嵌合位置にて前記上パイプと前記下パイプとを固定する固定具とを有することを特徴とする請求項１〜５のいずれかに記載のハンガーラック。
【請求項７】
前記上パイプが、長手方向に所定の間隔で配置されかつパイプ壁を貫通する複数の高さ調整孔を有し、かつ、
前記固定具が、前記下パイプの傾斜した上端面に載置される楕円環部と、前記楕円環部から内向きに突出し前記上パイプの高さ調整孔と係合可能な固定突起とを有することを特徴とする請求項６に記載のハンガーラック。
【手続補正２】
【補正対象書類名】明細書
【補正対象項目名】０００８
【補正方法】変更
【補正の内容】
【０００８】
上記の目的を達成するために、本考案は以下の構成を提供する。
・  本考案の態様は、水平方向に互いに離間して鉛直方向にそれぞれ延在し各々が伸縮調整可能である２本の柱部材と、
複数のハンガーを吊下するために前記２本の柱部材の上端同士の間に懸架された懸架部材と、
前記２本の柱部材の下端を支持する基底部材とを有するハンガーラックにおいて、
前記懸架部材の各端と前記柱部材の上端とが互いに回動可能に連結された接続部接続部を有することを特徴とする。
・  上記態様において、前記接続部が、水平方向に対する前記懸架部材の所定の傾斜角度において前記懸架部材の各端と前記柱部材の上端とを互いに固定していることが、好適である。
・  上記態様において、前記接続部が、前記懸架部材の各端および前記柱部材の上端にそれぞれ形成された軸孔と、前記軸孔に挿通される螺子と、前記螺子に締結されるナットとを有することが、好適である。
・  上記態様において、前記基底部材が、前記２本の柱部材の下端同士の間を連結する連結棒部材を有し、前記連結棒部材が、前記懸架部材の傾斜角度に応じて伸縮可能であることが、好適である。
・  上記態様において、前記懸架部材が、直線状に延在する部材であってその長手方向において所定の間隔で配置された略上方に向いた複数の係止突起を有することが、好適である。
・  上記態様において、前記柱部材が、互いに嵌合する上パイプおよび下パイプと、所定の嵌合位置にて前記上パイプと前記下パイプとを固定する固定具とを有することが、好適である。
・  上記態様において、前記上パイプが、長手方向に所定の間隔で配置されかつパイプ壁を貫通する複数の高さ調整孔を有し、かつ、
前記固定具が、前記下パイプの傾斜した上端面に載置される楕円環部と、前記楕円環部から内向きに突出し前記上パイプの高さ調整孔と係合可能な固定突起とを有することが、好適である。